【手続補正書】
【提出日】平成25年12月25日(2013.12.25)
【手続補正１】
【補正対象書類名】明細書
【補正対象項目名】発明の名称
【補正方法】変更
【補正の内容】
【発明の名称】アクセスポイント探索装置、アクセスポイントの探索方法、およびプログラム
【手続補正２】
【補正対象書類名】明細書
【補正対象項目名】０００１
【補正方法】変更
【補正の内容】
【０００１】
本発明は、無線アクセスポイントの探索を行うためのアクセスポイント探索装置、アクセスポイントの探索方法、およびプログラムに関し、特に、無線ＬＡＮステーションにおける無線ＬＡＮの設定方法に関する。
【手続補正３】
【補正対象書類名】明細書
【補正対象項目名】０００８
【補正方法】変更
【補正の内容】
【０００８】
従って、本発明の目的は、アクセスポイントを探索する際に、特定条件を満たすアクセスポイントを探索結果から取りこぼす可能性を低減することのできるアクセスポイント探索装置、アクセスポイントの探索方法、およびプログラムを提供することにある。
【手続補正４】
【補正対象書類名】明細書
【補正対象項目名】０００９
【補正方法】変更
【補正の内容】
【０００９】
上記の目的を達成するため、本発明によるアクセスポイント探索装置は、アクセスポイントを探索する探索手段と、前記探索手段によって探索されたアクセスポイントに関する情報を記憶する記憶手段と、前記探索手段によって新しいアクセスポイントが探索された場合であって、かつ、前記記憶手段が記憶している情報が示す記憶済みのアクセスポイントの数と前記新しいアクセスポイントの数の合計が前記記憶手段に記憶可能な数を示す所定数より多い場合に、前記記憶手段が記憶している情報のうち、前記新しいアクセスポイントよりも電波強度が弱いアクセスポイントに関する情報を削除して前記新しいアクセスポイントに関する情報を前記記憶手段に記憶する制御手段とを備えることを特徴とする。
また、本発明によるアクセスポイント探索装置は、アクセスポイントを探索する探索手段と、前記探索手段によって探索されたアクセスポイントに関する情報を記憶する記憶手段と、前記探索手段によって探索されたアクセスポイントの数が前記記憶手段に記憶可能な数を示す所定数より多い場合に、探索結果として表示するアクセスポイントを前記探索手段によって探索されたアクセスポイントの中から電波強度が強い順番に前記所定数選択し、当該選択したアクセスポイントに関する情報を前記記憶手段に記憶する制御手段とを備えることを特徴とする。
【手続補正５】
【補正対象書類名】明細書
【補正対象項目名】００１０
【補正方法】変更
【補正の内容】
【００１０】
本発明によるアクセスポイントの探索方法は、アクセスポイントを探索する探索ステップと、前記探索ステップで探索されたアクセスポイントに関する情報を記憶手段に記憶する記憶ステップと、前記探索ステップで新しいアクセスポイントが探索された場合であって、かつ、前記記憶手段が記憶している情報が示す記憶済みのアクセスポイントの数と前記新しいアクセスポイントの数の合計が前記記憶手段に記憶可能な数を示す所定数より多い場合に、前記記憶手段が記憶している情報のうち、前記新しいアクセスポイントよりも電波強度が弱いアクセスポイントに関する情報を削除して前記新しいアクセスポイントに関する情報を前記記憶手段に記憶する制御ステップとを有することを特徴とする。
また、本発明によるアクセスポイントの探索方法は、アクセスポイントを探索する探索ステップと、前記探索ステップで探索されたアクセスポイントに関する情報を記憶手段に記憶する記憶ステップと、前記探索ステップで探索されたアクセスポイントの数が前記記憶手段に記憶可能な数を示す所定数より多い場合に、探索結果として表示するアクセスポイントを前記探索ステップで探索されたアクセスポイントの中から電波強度が強い順番に前記所定数選択し、当該選択したアクセスポイントに関する情報を前記記憶手段に記憶する制御ステップとを有することを特徴とする。
【手続補正６】
【補正対象書類名】明細書
【補正対象項目名】００１１
【補正方法】変更
【補正の内容】
【００１１】
本発明によるプログラムは、請求項８乃至１４のいずれか１項に記載のアクセスポイントの探索方法をコンピュータに実行させるためのプログラムである。
【手続補正７】
【補正対象書類名】特許請求の範囲
【補正対象項目名】全文
【補正方法】変更
【補正の内容】
【特許請求の範囲】
【請求項１】
アクセスポイントを探索する探索手段と、
前記探索手段によって探索されたアクセスポイントに関する情報を記憶する記憶手段と、
前記探索手段によって新しいアクセスポイントが探索された場合であって、かつ、前記記憶手段が記憶している情報が示す記憶済みのアクセスポイントの数と前記新しいアクセスポイントの数の合計が前記記憶手段に記憶可能な数を示す所定数より多い場合に、前記記憶手段が記憶している情報のうち、前記新しいアクセスポイントよりも電波強度が弱いアクセスポイントに関する情報を削除して前記新しいアクセスポイントに関する情報を前記記憶手段に記憶する制御手段とを備えることを特徴とするアクセスポイント探索装置。
【請求項２】
前記記憶済みのアクセスポイントの数と前記新しいアクセスポイントの数の合計が前記所定数より多い場合であって、かつ、前記記憶済みのアクセスポイントのいずれかが前記新しいアクセスポイントの電波強度より弱い場合、前記制御手段は、前記記憶手段が記憶している情報のうち、電波強度が最も弱いアクセスポイントに関する情報を削除することを特徴とする請求項１に記載のアクセスポイント探索装置。
【請求項３】
前記記憶済みのアクセスポイントの数と前記新しいアクセスポイントの数の合計が前記所定数より多い場合であって、かつ、前記記憶済みのアクセスポイントのいずれよりも前記新しいアクセスポイントの電波強度が弱い場合、前記制御手段は、前記新しいアクセスポイントに関する情報を前記記憶手段に記憶しないことを特徴とする請求項１又は２に記載のアクセスポイント探索装置。
【請求項４】
前記記憶済みのアクセスポイントの数と前記新しいアクセスポイントの数の合計が前記所定数以下である場合、前記制御手段は、前記記憶手段が記憶している情報を削除することなく、前記新しいアクセスポイントに関する情報を前記記憶手段に記憶することを特徴とする請求項１乃至３のいずれか１項に記載のアクセスポイント探索装置。
【請求項５】
アクセスポイントを探索する探索手段と、
前記探索手段によって探索されたアクセスポイントに関する情報を記憶する記憶手段と、
前記探索手段によって探索されたアクセスポイントの数が前記記憶手段に記憶可能な数を示す所定数より多い場合に、探索結果として表示するアクセスポイントを前記探索手段によって探索されたアクセスポイントの中から電波強度が強い順番に前記所定数選択し、当該選択したアクセスポイントに関する情報を前記記憶手段に記憶する制御手段とを備えることを特徴とするアクセスポイント探索装置。
【請求項６】
前記記憶手段が記憶している情報に基づいて、アクセスポイントの探索結果を表示する表示手段を更に備えることを特徴とする請求項１乃至５のいずれか１項に記載のアクセスポイント探索装置。
【請求項７】
前記探索手段は、すべての無線チャンネルのうち１チャンネルずつアクセスポイントを探索することを特徴とする請求項１乃至６のいずれか１項に記載のアクセスポイント探索装置。
【請求項８】
アクセスポイントを探索する探索ステップと、
前記探索ステップで探索されたアクセスポイントに関する情報を記憶手段に記憶する記憶ステップと、
前記探索ステップで新しいアクセスポイントが探索された場合であって、かつ、前記記憶手段が記憶している情報が示す記憶済みのアクセスポイントの数と前記新しいアクセスポイントの数の合計が前記記憶手段に記憶可能な数を示す所定数より多い場合に、前記記憶手段が記憶している情報のうち、前記新しいアクセスポイントよりも電波強度が弱いアクセスポイントに関する情報を削除して前記新しいアクセスポイントに関する情報を前記記憶手段に記憶する制御ステップとを有することを特徴とするアクセスポイントの探索方法。
【請求項９】
前記記憶済みのアクセスポイントの数と前記新しいアクセスポイントの数の合計が前記所定数より多い場合であって、かつ、前記記憶済みのアクセスポイントのいずれかが前記新しいアクセスポイントの電波強度より弱い場合、前記制御ステップでは、前記記憶手段が記憶している情報のうち、電波強度が最も弱いアクセスポイントに関する情報を削除することを特徴とする請求項８に記載のアクセスポイントの探索方法。
【請求項１０】
前記記憶済みのアクセスポイントの数と前記新しいアクセスポイントの数の合計が前記所定数より多い場合であって、かつ、前記記憶済みのアクセスポイントのいずれよりも前記新しいアクセスポイントの電波強度が弱い場合、前記制御ステップでは、前記新しいアクセスポイントに関する情報を前記記憶手段に記憶しないことを特徴とする請求項８又は９に記載のアクセスポイントの探索方法。
【請求項１１】
前記記憶済みのアクセスポイントの数と前記新しいアクセスポイントの数の合計が前記所定数以下である場合、前記制御ステップでは、前記記憶手段が記憶している情報を削除することなく、前記新しいアクセスポイントに関する情報を前記記憶手段に記憶することを特徴とする請求項８乃至１０のいずれか１項に記載のアクセスポイントの探索方法。
【請求項１２】
アクセスポイントを探索する探索ステップと、
前記探索ステップで探索されたアクセスポイントに関する情報を記憶手段に記憶する記憶ステップと、
前記探索ステップで探索されたアクセスポイントの数が前記記憶手段に記憶可能な数を示す所定数より多い場合に、探索結果として表示するアクセスポイントを前記探索ステップで探索されたアクセスポイントの中から電波強度が強い順番に前記所定数選択し、当該選択したアクセスポイントに関する情報を前記記憶手段に記憶する制御ステップとを有することを特徴とするアクセスポイントの探索方法。
【請求項１３】
前記記憶手段が記憶している情報に基づいて、アクセスポイントの探索結果を表示する表示ステップを更に有することを特徴とする請求項８乃至１２のいずれか１項に記載のアクセスポイントの探索方法。
【請求項１４】
前記探索ステップでは、すべての無線チャンネルのうち１チャンネルずつアクセスポイントを探索することを特徴とする請求項８乃至１３のいずれか１項に記載のアクセスポイントの探索方法。
【請求項１５】
請求項８乃至１４のいずれか１項に記載のアクセスポイントの探索方法をコンピュータに実行させるためのプログラム。